(57)【要約】【課題】  多用されるパラメータ項目とほとんど使用されないパラメータ項目が混在する場合でも目的とするパラメータをスムーズに設定できる制御システムを提供する。【解決手段】  パラメータ項目が表示される表示部と、この表示部に表示されたパラメータ項目を所望の内容に設定するユーザ・インターフェイスとを備え、このユーザ・インターフェイスで設定された内容に基づいて制御対象を制御する制御システムにおいて、重要度に基づいてパラメータ項目が分類されたテーブルと、このテーブルを参照して重要度を参照し、前記表示部に表示させるパラメータ項目を決定する項目テーブル処理部と、前記表示部にパラメータ項目を表示する命令を出力する表示処理部と、前記項目テーブル処理部に前記ユーザ・インターフェイスで設定された内容を通知すると共に、前記表示処理部に前記表示部に表示するパラメータ項目を命令するマイクロプロセッサとを備える。【選択図】                    図１
2010026844.tif 000002
【特許請求の範囲】
【請求項１】
複数のパラメータ項目が表示される表示部と、前記パラメータ項目を前記表示部にカーソル表示する表示処理部と、複数の前記パラメータ項目のうち一つの前記パラメータ項目を選択するユーザ・インターフェイスと、前記パラメータ項目に設定された条件に基づいて制御対象を制御する制御システムにおいて、
前記パラメータ項目を重要度別に分類したテーブルと、
前記重要度を参照して前記パラメータ項目をカーソル表示するかどうかを決める項目テーブル処理部と
を備えたことを特徴とする制御システム。
【請求項２】
前記テーブルは、前記重要度が高い前記パラメータ項目と重要度が低い前記パラメータ項目の少なくとも２種類に分類され、
前記項目テーブル処理部は、前記パラメータ項目のうち重要度が高いもののみを前記表示処理部に通知してカーソル表示することを特徴とする請求項１記載の制御システム。
【請求項３】
前記制御システムを小規模計装に用いたことを特徴とする請求項１又は２に記載の制御システム。
【発明の詳細な説明】
【技術分野】
【０００１】
本発明は、小規模計装等のパラメータを設定する制御システムに関し、特に、多用されるパラメータとほとんど使用されないパラメータが混在する場合でも目的とするパラメータをスムーズに設定できる制御システムに関する。
【背景技術】
【０００２】
レコーダ、データ・ロガー等を用いる小規模計装は、制御対象からのデータを収集し、記録し、監視し、または制御するものであり、主として工業用に用いられている。ところで、このような小規模計装において制御対象からのデータを収集、記録等する場合には、複数のパラメータ項目の中から適切なパラメータ項目を選択する必要があり、パラメータ項目の設定には、例えば制御システムの前面パネルのキー、ハンディ・ターミナル等が利用される。このような制御システムの先行技術文献としては次のようなものがある。
【０００３】
【特許文献１】特開２００５―２１７４６６号公報
【０００４】
以下、図４を参照して従来の制御システムにおけるパラメータ項目の設定動作を説明する。図４（Ａ）は従来の制御システムの表示部の表示例であり、（Ｂ）は従来の制御システムの前面パネルのキーである。
【０００５】
図４（Ａ）に示すように、大項目２００は、パラメータ項目”Ａ：ＤＩＳＰＬＡＹ”、”Ｂ：ＳＥＴ”、”Ｃ：ＡＤＪＵＳＴ”、”Ｄ：ＭＡＩＮＴ”からなり、これらのパラメータ項目のいずれかを選択する場合には、図４（Ｂ）に示すカーソル・キー２５１，２５２，２５３，２５４，２５５を用いる。
【０００６】
具体的には、図４（Ａ）に示す表示例にあって、パラメータ項目を指示するカーソル（図示せず）を左へ移動させるキー２５１又は右へ移動させるキー２５２のいずれかを１回押すことにより、左又は右へカーソルが移動し、所望のパラメータ項目をカーソル表示する。
【０００７】
また、左へ移動させるキー２５１又は右へ移動させるキー２５２のいずれかを長時間押し続けると連続してカーソルが移動する。例えば、右へ移動させるキー２５２を押し続けると、パラメータ項目”Ａ：ＤＩＳＰＬＡＹ”，”Ｂ：ＳＥＴ、・・・”，”Ｄ：ＭＡＩＮＴ”の順にカーソルが移動して再びパラメータ項目”Ａ：ＤＩＳＰＬＡＹ”にカーソルが戻り、以下この動作をループする。そして、選択すべきパラメータ項目にカーソルを合わせてカーソル表示し、ＥＮＴＥＲキー２５５を押すことにより大項目２００中のパラメータ項目が選択される。
【０００８】
次に、中項目２１０の選択動作について説明する。大項目２００を上述のように操作して、例えばパラメータ項目”Ａ：ＤＩＳＰＬＡＹ”が選択されると、中項目２１０にあるパラメータ項目の選択動作に移行する。中項目２１０は、パラメータ項目”Ａ０１  ＩＮＰＵＴ１”、”Ａ０２  ＩＮＰＵＴ２”、・・・、”Ａｎ  ＳＥＬＦ  ＣＨＫ”（ｎは整数）からなり、図４（Ｂ）のカーソルを上へ移動させるキー２５３又は下へ移動させるキー２５４を押すことにより、上又は下へ向かってカーソルが移動し、所望のパラメータ項目をカーソル表示する。
【０００９】
そして、選択すべきパラメータ、例えばパラメータ項目”Ａ０２  ＩＮＰＵＴ２”にカーソルを合わせてカーソル表示し、ＥＮＴＥＲキー２５５を押すことにより中項目中のパラメータ項目が選択される。このようにして、選択すべきパラメータ項目”Ａ０２  ＩＮＰＵＴ２”を設定することができる。
【００１０】
また、中項目２１０にあってもキーを１回押した場合には１パラメータ項目ずつ移動するが、押し続けるとカーソルが連続して移動する。なお、制御システムによっては大項目、中項目に加えて、小項目の設定を行うものも存在するが、小項目の設定方法もキーを使って同様の方法で設定するものであるため、説明を省略する。
【００１１】
尚、パラメータ項目”Ａｎ  ＳＥＬＦ  ＣＨＫ”にあって、”Ａｎ”はパラメータ番号、”ＳＥＬＦ  ＣＨＫ”はパラメータ名である。
【００１２】
このように、従来の制御システムでは、前面パネルに設置されるキー等を利用してパラメータ項目をカーソル表示し、このパラメータ項目を選択することにより、所望のパラメーア設定を行っていた。
【発明の開示】
【発明が解決しようとする課題】
【００１３】
ところで、従来の制御システムでは大項目、中項目、小項目に分けてパラメータ項目を選択し効率化を図っているものの、中項目、若しくは小項目に着目すると、多用されるパラメータ項目とほとんど利用されないパラメータ項目が混在している場合が多い。従って、ほとんど利用されないパラメータ項目が連続するような場合でも、それらのパラメータ項目を含む中から目的のパラメータ項目を選択するのでは、設定に時間を要する。
【００１４】
加えて、近年の小規模計装は多機能化が進み、それに伴い設定できるパラメータ項目数が増えたため、よりいっそう目的のパラメータ項目に辿り着くまでに時間がかかる。すなわち、ほとんど利用されないパラメータ項目が幾つもあるにも拘わらず、１回ずつキーを押したのでは必要な項目に辿り着くまでに時間がかかる。
【００１５】
また、キーを長時間押し続けた場合、連続してカーソルが移動するため、必要なパラメータ項目を通り過ぎる場合がある。さらに、必要なパラメータ項目を通り過ぎてしまった後にループして再び所望のパラメータ項目を設定しようとすると、カーソル表示に更なる時間が必要となる。
【００１６】
一方、中項目、小項目にあるパラメータ項目の数を減らすために大項目を細かく分類することも理論上は考えられるが、上位通信ツールの構造に変更が発生するなど影響が大きいため、直ちに大項目の分類を変更することは困難である。
【００１７】
本発明は、これらの問題点に鑑みてなされたものであり、多用されるパラメータ項目とほとんど使用されないパラメータ項目が混在する場合でも目的とするパラメータ項目をスムーズに設定できる制御システムを提供することを目的とする。
【課題を解決するための手段】
【００１８】
この様な課題を達成するために本発明は次の構成を備える。
（１）複数のパラメータ項目が表示される表示部と、前記パラメータ項目を前記表示部にカーソル表示する表示処理部と、複数の前記パラメータ項目のうち一つの前記パラメータ項目を選択するユーザ・インターフェイスと、前記パラメータ項目に設定された条件に基づいて制御対象を制御する制御システムにおいて、
前記パラメータ項目を重要度別に分類したテーブルと、
前記重要度を参照して前記パラメータ項目をカーソル表示するかどうかを決める項目テーブル処理部と
を備えたことを特徴とする制御システム。
【００１９】
（２）前記テーブルは、前記重要度が高い前記パラメータ項目と重要度が低い前記パラメータ項目の少なくとも２種類に分類され、
前記項目テーブル処理部は、前記パラメータ項目のうち重要度が高いもののみを前記表示処理部に通知してカーソル表示することを特徴とする請求項１記載の制御システム。
【００２０】
（３）前記制御システムを小規模計装に用いたことを特徴とする請求項１又は２に記載の制御システム。
【発明の効果】
【００２１】
本発明では次のような効果がある。連続的にパラメータ項目を切り換える場合でも、必要なパラメータ項目（多用されるパラメータ項目）にカーソル表示することが容易となり、たとえ所望のパラメータ項目を通り過ぎてしまった場合でも、通り過ぎたことが一目で分かるので、その後の設定が容易になる。
【発明を実施するための最良の形態】
【００２２】
次に、図１を参照して本発明による制御システムを説明する。制御装置１００は、表示処理部１１０、ＭＣＵ１２０、項目テーブル処理部１３０、テーブル１４０、項目内容処理部１５０を備える。
【００２３】
表示処理部１１０は、ＭＣＵ１２０の命令に基づいて表示部１６０にパラメータ項目等を表示するとともに、後述するユーザ・インターフェイス１７０により、表示されているパラメータ項目が選択できるようにカーソル表示するブロックである。
【００２４】
ＭＣＵ１２０は組み込み用のマイクロプロセッサであり、項目テーブル処理部１３０は、ＭＣＵ１２０の命令に基づいてテーブル１４０の重要度を参酌してＭＣＵ１２０に必要な情報を与える。
【００２５】
制御装置１００、表示部１６０、ユーザ・インターフェイス１７０により、本発明の制御システムは構成される。
【００２６】
テーブル１４０は複数の項目テーブルＡ１４１、項目テーブルＢ１４２が設定され、各項目テーブルＡ１４１，Ｂ１４２では、各パラメータ項目と、そのパラメータ項目の重要度が設定される。
【００２７】
具体的には、項目テーブルＡ１４１にあって、パラメータ項目”Ａ０１：パラメータ名”、”Ａｐ：パラメータ名”（ｐは整数）、”Ａ０６：パラメータ名”は重要度Ｇｒ（グループ）”ａ”に分類される。なおここで、「パラメータ名」は、図４に示したような”ＩＮＰＵＴ１”、”ＩＮＰＵＴ２”、”ＯＵＴ１”等を表す。また、パラメータ項目”Ａ０７：パラメータ名”、”Ａｑ：パラメータ名”（ｑは整数）、”Ａ１２：パラメータ名”が重要度Ｇｒ”ｂ”に分類される。
【００２８】
ここでは、重要度がＧｒ”ａ”に分類されたものについては、良く使われるパラメータ項目であり、重要度がＧｒ”ｂ”及び”ｃ”に分類されたものについては、ほとんど使われないパラメータ項目であると設定する。
【００２９】
項目内容処理部１５０は、制御対象に対して設定された条件に基づいた制御を実行するブロックである。表示部１６０は、パラメータ項目等が表示される。ユーザ・インターフェイス１７０は、図４で説明したような、大項目、中項目、パラメータ項目を選択する際にカーソルを上下左右に切り換えるキー、選択すべきパラメータ項目を決定するＥＮＴＥＲキー等で構成される。
【００３０】
次に、図２を参照して図１の動作を説明する。ここで、図２は図１に表した制御システムの動作を示すフローチャートである。まず、ＭＣＵ１２０は、ユーザ・インターフェイス１７０上のカーソル・キーが所定の時間以上押されたかどうかを判断することにより、連続的なパラメータ項目送りとするかどうかを認識する（ステップ１）。ここで連続的なパラメータ項目送りと判断される時間は、例えば１秒以上であるとする。
【００３１】
その結果、所定の時間（１秒）に満たない場合には、ＭＣＵ１２０は、連続的なパラメータ項目送りではないものと判断し、パラメータ項目を１つだけ進めて終了する（ステップ２）。
【００３２】
一方、所定の時間（１秒）以上、カーソル・キーが押された場合には、設定された次の「重要度”ａ”のパラメータ項目（重要度の高いもの）」までカーソルが送られる（ステップ３）。
【００３３】
例えば、図１の項目テーブルＡ１４１の中段に示すように、パラメータ項目”Ａ１２：パラメータ名”、”Ａ１３：パラメータ名”、”Ａｒ：パラメータ名”（ｒは整数）、”Ａ２０：パラメータ名”を介して先頭のパラメータ項目”Ａ０１：パラメータ名”に戻るように中項目が設定されている場合、図１の項目テーブル処理部１３０は、ＭＣＵ１２０の命令に基づいて、重要度が”ｂ”及び”ｃ”に分類されているパラメータ項目”Ａ１２：パラメータ名”、”Ａ１３：パラメータ名”、”Ａｒ：パラメータ名、”Ａ２０：パラメータ名”を参照するものの、これらのパラメータ項目については表示処理部１１０へ、カーソル表示の通知を省略し、重要度が”ａ”に設定されているパラメータ名”Ａ０１:パラメータ名”をカーソル表示する旨を表示処理部１１０に通知する。
【００３４】
このように、重要度が”ａ”に設定されているパラメータ項目のみをカーソル表示する動作は、ユーザ・インターフェイス１７０のカーソル・キーの操作が解除されるまで、即ち、キーを開放するまで継続される（ステップ４）。このようにして選択されたパラメータ項目に関連する処理は、図１の項目内容処理部１５０により行われる。
【００３５】
次に、図３を参照して他の実施例を説明する。図３は表示部１６０の表示例である。大項目３００、中項目３１０については図４の大項目２００、中項目２１０と同様なので説明を省略する。
【００３６】
図３では、中項目３２０におけるパラメータ項目の選定に特徴があるのでこの点について説明する。点線で囲まれた中項目３２０は、多用される重要なパラメータ項目を含んでいるので一つの集団と捉える。
【００３７】
この場合、連続的にパラメータ項目を送る命令がユーザ・インターフェイス１７０から指定された場合でも、中項目３２０の最初にあるパラメータ項目と最後にあるパラメータ項目の位置でカーソルの移動を一旦中止する。
【００３８】
つまり、図３の中項目３２０のうち、先頭に位置するパラメータ項目”Ｂ０１  ＩＮＰＵＴ１  ０％”と、後尾に位置するパラメータ項目”Ｂ１０  ＯＵＴ２  １００％”を図１のテーブル１４０における重要度Ｇｒ”ａ”に設定する。
【００３９】
これにより、大項目３００でパラメータ項目”Ｂ：ＳＥＴ”を選定した場合、はじめに中項目３２０の先頭のパレメータ項目”Ｂ０１  ＩＮＰＵＴ１  ０％”がカーソル表示され、一つのカーソル・キーを押し続けると、次の位置からパラメータ項目は跳ばされて、後尾のパラメータ項目”Ｂ１０  ＯＵＴ２  １００％  ”がカーソル表示される。
【００４０】
そして、後尾のパラメータ項目”Ｂ１０  ＯＵＴ２  １００％の次に位置するパラメータ項目”Ｂ１１  ＩＮＰＵＴ  ＴＹＰＥ”を使用する場合には、もう１アクション（例えば再度キーを押す等）行うことにより、次の項目に進む。
【００４１】
このように、重要度に基づいて項目を分類し、重要度が低い項目については連続的にパラメータ項目を送る際はカーソル表示することはないようにしたので、必要なパラメータ項目（多用されるパラメータ項目）を選択することが容易となり、たとえ所望のパラメータ項目を通り過ぎた場合でも、通り過ぎたことが一目で分かり、前に戻って設定をし直すことができるので、その後の設定等が容易になる。
【図面の簡単な説明】
【００４２】
【図１】本発明の制御システムの構成図である。
【図２】図１のフローチャートである。
【図３】図１の制御システムの表示部の表示例である。
【図４】従来の制御システムの表示部の表示例である。
【符号の説明】
【００４３】
１００      制御装置
１１０      表示処理
１２０      ＭＣＵ
１３０      項目テーブル処理部
１４０      テーブル
１４１      項目テーブルＡ
１４２      項目テーブルＢ
１５０      項目内容処理部
【図１】
2010026844.tif 000003
【図２】
2010026844.tif 000004
【図３】
2010026844.tif 000005
【図４】
2010026844.tif 000006